(57)【要約】【課題】二次フィルターに付着した細塵の塵離れ性を向上させ、使用勝手の良い集塵容器およびそれを用いた電気掃除機を提供すること。【解決手段】粗い塵埃を捕集する一次フィルター３８ａを有する粗塵室２８と、一次フィルター３８ａを通過した細塵を捕集する二次フィルター４４と、粗塵室２８の下面に設けられた開口部３０ａと、粗塵室２８の頂部に押圧を与える押し出し板４０と、二次フィルター４４に摺接され回転自在な回転体５２と、開口部を開閉自在に覆う蓋体３１とを具備し、蓋体３１を開くとともに、押し出し板４０が粗い塵埃を押して廃棄する動作に連動して、回転体５２を回転させ二次フィルター４４に付着した塵埃を除塵する。【選択図】図６
2008206738.tif 000002
【特許請求の範囲】
【請求項１】
粗い塵埃を捕集する一次フィルターを有すると共に集塵容器内の下方に設けられた粗塵室と、前記一次フィルターを通過した細塵を捕集する二次フィルターと、前記粗塵室および前記集塵容器の下面に設けられた開口部と、前記粗塵室内に堆積した粗い塵埃を押さえるための押し出し板と、前記二次フィルターに摺接され回転自在な回転体と、前記開口部を開閉自在に覆う蓋体とを具備し、前記蓋体を開くとともに、前記押し出し板が前記粗塵室内の粗い塵埃を押して廃棄する動作に連動して前記回転体を回転させ、前記二次フィルターに付着した塵埃を除塵する集塵容器。    
【請求項２】
前記押し出し板に設けられ前記押し出し板の押し出し方向に複数の歯を配列したラック部材と、前記ラック部材の複数の歯に噛合うギヤーとを有し、前記ギヤーの回転動作に連動して前記回転体を回転させる請求項１に記載の集塵容器。
【請求項３】
前記回転体は、複数のブラシを備えてなる請求項１又は２に記載の集塵容器。
【請求項４】
前記複数のブラシを硬質材で構成してなる請求項３に記載の集塵容器。
【請求項５】
請求項１〜４のいずれか１項に記載の集塵容器を備えた電気掃除機。
【発明の詳細な説明】
【技術分野】
【０００１】
本発明は集塵容器及びそれ用いた電気掃除機に関するものである。
【背景技術】
【０００２】
従来の電気掃除機としては、掃除機本体に着脱自在に装着されると共に塵埃を捕集する集塵容器を備え、その集塵容器に開閉自在の蓋を設け、その蓋を開けて集塵容器内に蓄積した塵埃を廃棄するようにしたものが有る（例えば、特許文献１参照）。
【特許文献１】特開２００４−１２１７２２号公報
【発明の開示】
【発明が解決しようとする課題】
【０００３】
しかしながら、上記のような電気掃除機の構成では、粗い塵埃をろ過する一次フィルターを通り、細塵を捕集する二次フィルターの表面に塵埃が吸着して目詰まりを起こし塵埃の吸引で早期に吸込性能が低下するという問題があった。また、二次フィルターの表面に付着した塵埃は落ちることなく溜まる時があり、その時は、素手或いは箸などでごみを引きずり出さなければならず、不衛生であり、且つ非常に手間がかかるという課題があった。
【０００４】
本発明は上記従来の課題を解決するものであって、二次フィルターに堆積した塵埃の塵離れ性を向上させ、使用勝手の良い集塵容器およびそれを用いた電気掃除機を提供する事を目的とする。
【課題を解決するための手段】
【０００５】
上記従来の課題を解決するために、本発明は、粗い塵埃を捕集する一次フィルターを有すると共に集塵容器内の下方に設けられた粗塵室と、前記一次フィルターを通過した細塵を捕集する二次フィルターと、前記粗塵室および前記集塵容器の下面に設けられた開口部と、前記粗塵室内に堆積した粗い塵埃を押さえるための押し出し板と、前記二次フィルターに摺接され回転自在な回転体と、前記開口部を開閉自在に覆う蓋体とを具備し、前記蓋体を開くとともに、前記押し出し板が前記粗塵室内の粗い塵埃を押して廃棄する動作に連動して前記回転体を回転させ、前記二次フィルターに付着した塵埃を除塵する。上記構成より、粗塵室内に溜まった粗い塵埃を廃棄する度に、二次フィルターに堆積した塵埃を掻き落し、二次フィルターの目詰りによる風量低下を抑制することができる。
【発明の効果】
【０００６】
本発明の集塵容器は、粗塵室内に溜まった粗い塵埃を廃棄する度に、二次フィルターに堆積した塵埃を掻き落して、二次フィルターの目詰りを防止することができる。これにより、風量低下を抑制すると同時に、二次フィルターに詰まった塵埃を取り除く作業がなくなり、メンテナンス性を向上する。
【発明を実施するための最良の形態】
【０００７】
第１の発明は、粗い塵埃を捕集する一次フィルターを有すると共に集塵容器内の下方に設けられた粗塵室と、前記一次フィルターを通過した細塵を捕集する二次フィルターと、前記粗塵室および前記集塵容器の下面に設けられた開口部と、前記粗塵室内に堆積した粗い塵埃を押さえるための押し出し板と、前記二次フィルターに摺接され回転自在な回転体と、前記開口部を開閉自在に覆う蓋体とを具備し、前記蓋体を開くとともに、前記押し出し板が前記粗塵室内の粗い塵埃を押して廃棄する動作に連動して前記回転体を回転させ、前記二次フィルターに付着した塵埃を除塵する。この構成より、粗塵室内に溜まった粗い塵埃を廃棄する度に、二次フィルターに堆積した塵埃を掻き落し、二次フィルターの目詰りによる風量低下を抑制することができる。
【０００８】
第２の発明は、押し出し板に設けられ前記押し出し板の押し出し方向に複数の歯を配列したラック部材と、前記ラック部材の複数の歯に噛合うギヤーとを有し、前記ギヤーの回転動作に連動して前記回転体を回転させる構成により、粗塵室内に溜まった粗い塵埃を捨てる際、押し出し板の直線的な押し出し動作を、ラック部材とギヤーとの作用によって回転動作に変換し、その回転動作に連動した回転体が、二次フィルターに堆積した塵埃を掻き落し、効率よく二次フィルターを除塵する。
【０００９】
第３の発明は、回転体が複数のブラシを備えることによって、二次フィルターに溜まった細塵を広い範囲に除塵することが可能となる。
【００１０】
第４の発明は、複数のブラシを硬質材で構成することより、二次フィルターの表面をきつく叩くこととなり、二次フィルターに固くへばり付いた塵埃を掻き落し、効率よく二次フィルターを除塵させることが可能となる。
【００１１】
第５の発明は、請求項１〜４のいずれか１項に記載の集塵容器を備えた電気掃除機としたもので、粗塵室内に溜まった粗い塵埃を廃棄する度に、二次フィルターに堆積した塵埃を掻き落して、二次フィルターの目詰りを防止することができる。これにより、風量低下を抑制すると同時に、二次フィルターに詰まった塵埃を取り除く作業がなくなり、メンテナンス性を向上した電気掃除機を提供することができる。
【００１２】
以下、本発明の実施の形態について、図面を参照しながら説明する。なお、この実施の形態によって本発明が限定されるものではない。
【００１３】
（実施の形態１）
本発明の第１の実施の形態に係る集塵容器及びそれを搭載した電気掃除機について、図１〜図６を用いて説明する。
【００１４】
図１は本実施の形態に係る電気掃除機の全体斜視図、図２は同実施の形態に係る掃除機本体の断面図である。図３は同掃除機本体に用いる集塵容器の断面図、図４は同集塵容器のダストボックス本体とフィルターユニットを示した斜視図、図５は同集塵容器の部分断面斜視図である。図６は同集塵容器の蓋が開いた状態の断面図である。
【００１５】
図１及び図２において、掃除機本体１は、その外郭は下ボデー１ａと上ボデー１ｂから構成され、後部に電動送風機２を内蔵した電動送風機室３が配され、前部に集塵容器４を収納する集塵容器収納部５が配される。そして、掃除機本体１の後方下部には両側に１対の走行用の車輪６が回転自在に取付けられ、掃除機本体１の底面前部には同じく走行用のキャスター７が取付けられ、掃除機本体１の前部にはホース８の一端に設けた接続パイプ９が着脱自在に接続される吸気口１０が設けられている。
【００１６】
塵埃を捕集する集塵容器４は着脱自在に設けられており、ダストボックスハンドル１７は人が握れるようになっており、集塵容器４を持ち運ぶ時や掃除機本体１の集塵容器収納部５から取り外す時に利用される。そして、掃除機本体１の吸気口１０の後方に設けられたパッキン２６は、集塵容器４の吸入口２７と吸気口１０との間の機密性を保つためのものである。
【００１７】
ホース８の他端には、掃除の際に握る把手１１を備えた先端パイプ１２が設けられている。延長管１３は伸縮自在或いは継ぎ自在に構成されるものであり、下流側の端部は先端パイプ１２に着脱自在に接続され、上流側の端部は吸込み具１４に着脱自在に接続される。
【００１８】
バンパー１５は、弾性材料から成形され掃除機本体１の前部から両側にかけて延設され、掃除機本体１の走行時に家具，柱などに衝突してもそれらに傷を付けないようにするための物である。
【００１９】
本体ハンドル１６は、掃除機本体１を持ち運ぶ際に立てて使用するものであり、掃除機本体１の重心を通る垂直線上に回動中心が位置するように掃除機本体１の上部に回動自在に取付けられている。集塵容器収納部５の後方下部には、電源コード２３が引き出し自在に設けられている。    
【００２０】
サポータ１８，１９は、弾性材料からなる部材であり、電動送風機２の前部をサポータ１８で支持し、同じく後部をサポータ１９で支持して、電動送風機２を電動送風機室３内に固定している。
【００２１】
隔壁２０は、電動送風機室３と集塵容器収納部５とを仕切るものであり、その略中央に格子状の隔壁開口部２１が設けられ、その隔壁開口部２１には三次フィルター２２が設けられており、電動送風機２の吸入開口２ａと集塵容器収納部５とは通気できるようになっている。
【００２２】
次に、集塵容器４について図３〜６を用いて詳細に説明する。
【００２３】
図３〜図５において、集塵容器４は、掃除機本体１の吸入口２７に直接連通すると共に粗塵を収納する粗塵室２８を有するダストボックス本体２４と、その粗塵室２８内に溜まった粗塵を排出するために粗塵室２８およびダストボックス本体２４の下部に設けられた開口部３０ａと、ダストボックス本体２４の後方開口部に着脱自在に装着されるフィルターユニット２５とから構成されており、フィルターユニット２５は、粗塵室２８を通過した吸引風に含まれる細塵を捕集する二次フィルターを有している。
【００２４】
フィルターユニット２５の下方に在る細塵受け２９は、フィルターユニット２５に装着された二次フィルターから離脱した細塵を収容するものであり、細塵受け２９の下部には開口部３０ｂを有している。
【００２５】
通常、それらの開口部３０ａ及び３０ｂは蓋体３１で閉じられ、この蓋体３１は尾錠３２で保持される。そして、蓋体３１は、ダストボックス本体２４の下面の後方端部で回動自在に軸支されており、ダストボックス本体２４の前面上部に在る操作部３３を押し下げると、尾錠３２による固定が外れて蓋体３１が開放され、粗塵室２８内に溜まった粗い塵埃を放出する一方、細塵受け２９内に溜まった細塵を放出するように構成されている。
【００２６】
図３〜図５において、粗塵室２８は、複数の通気口３７を有した枠体３６と、その通気口３７を覆う一次フィルター３８とで包囲された空間のことであり、その前方には吸入口２７と連通する開口部３０ｃを有し、その下方には塵埃を排出するための開口部３０ａを有する。一次フィルター３８は網目状のものであり、粗い塵埃を捕集する。一次フィルター３８ａを有する側壁は、開口部３０ａに向かって広がる傾斜面を有しており、塵埃を上方から下方へ押し出し易くしている。
【００２７】
また、粗塵室２８の上部は、複数の通気口と一次フィルター３８ｂを有した押し出し板４０を備えており、その押し出し板４０は、操作部３３の一端と連結されている。操作部３３を下方に操作することより、押し出し板４０を下方に移動させることができる。細塵室２８の上方には係止部４１が配置され、係止部４１と押し出し板４０との間にバネ材が配設されており、通常は、バネ材の弾性力によって押し出し板４０を上方に引っ張り上げており、押し出し板４０が枠体３６の上部で引っ掛かるようになっている。
【００２８】
フィルターユニット２５は、内部が空洞になっている外枠４２と、その外枠４２の前面（上流側の面）における面方向に配列された複数の支持片４３とを有し、それらの支持片４３に支持されてプリーツ状に折られた二次フィルター（不図示）が外枠４２前面の全域に亘って配設されている。また、外枠４２の下流側端部は、全周に渡ってリップ４５が一体叉は一体的に形成されており、そのリップ４５は、集塵容器４を集塵容器収納部５に装着した時に、掃除機本体１の隔壁２０と圧接して機密性を保つものである。フィルターユニット２５の前面は、ダストボックス本体２４に装着した時に、粗塵室２８の後方開口部４７を覆って気密性を保つようになっている。    
【００２９】
一辺に複数の歯４８を配列したラック部材４９は、押し出し板４０の上部に配設され、配列された複数の歯４８の配列方向は、押し出し板４０の上下動する方向と一致しており、ラック部材４９の歯４８に噛合するギヤー５０は粗塵室２８に設けられたリブ体５１に回転自在に軸支されている。
【００３０】
回転体５２は、表面にナイロンなどの合成樹脂からなるブラシ５７が植毛もしくは固着されており、粗塵室２８に設けられた支え体５３に回転自在に軸支された状態で、ギヤー５０と二次フィルター４４との間に配置され、ブラシ５７が二次フィルター４４の表面に摺接するようになっている。そして、ギヤー５０の円柱部５４と回転体５２の円柱部５５にはベルト５６が掛けられており、回転体５２はギヤー５０に連動して回転する。
【００３１】
上記構成による動作、作用は以下の通りである。
【００３２】
電動送風機２は吸引風を発生し、電動送風機２による吸引力が、三次フィルター２２（図２に図示）、二次フィルター４４、一次フィルター３８ａおよび３８ｂを経て、粗塵室２８、ホース８、延長管１３を経て吸込み具１４に至る。そして、吸込み具１４から吸引された塵埃を含んだ空気は、掃除機本体１の吸気口１０を通ってダストボックス本体２４の吸入口２７から直接粗塵室２８に入り、一次フィルター３８ａ及び３８ｂで捕集され堆積していく。そして、一次フィルター３８ａ及び３８ｂを通過した細塵は、二次フィルター４４で捕捉される。
【００３３】
次に、堆積した塵埃を捨てる時の動作について図６を用いて説明する。図６において操作部３３を下方へ押すと、それに応じて尾錠３２が外方（Ａ方向）に移動され、蓋体３１との嵌合が外されて、蓋体３１が回転して開く。この時、操作部３３と連結されている押し出し板４０が矢印Ｂ方向に、位置ｂ１から位置ｂ２へと下降し、粗塵室２８内に溜まった粗い塵埃Ｄを押し出す。    
【００３４】
この一連の動作と連動して、押し出し板４０に設けたラック部材４９も矢印Ｂ方向に下降し、ラック部材４９の歯４８と噛合ったギヤー５０が回転する。ギヤー５０の回転は、ベルト５６によって回転体５２に伝達され、回転体５２が回転駆動される。これにより、二次フィルター４４の表面に堆積した細塵ｄを掻きだすこととなり、二次フィルター４４の目詰りによる風量低下を低減させることができる。
【００３５】
その結果、粗い塵埃Ｄを捨てる際の作業において、押し出し板４０の押し出す動作と連動する回転体５２が、二次フィルター４４に堆積した細塵ｄを掻き落し、効率的よく二次フィルター４４を除塵することとなり、二次フィルター４４のメンテナンス性を向上させることができる。
【００３６】
また、円柱状の回転体５２には、複数のブラシ５７がその周面の軸方向に配列されているため、二次フィルター４４の広い範囲を除塵することが可能となり、堆積した細塵を満遍なく掻きだすこととなり高い清掃効果が得られる。
【００３７】
また、回転体５２に設けた複数のブラシ５７を硬質材にすることより、二次フィルター４４の表面及び、二次フィルターをきつく叩き、且つ掻き取ることとなり、二次フィルター４４にへばり付いた塵埃を掻き落し、効率よく二次フィルター４４を除塵させることができる。
【産業上の利用可能性】
【００３８】
以上のように、本発明にかかる集塵容器は、粗塵室に堆積したゴミのゴミ捨て作業と同時に、二次フィルターに堆積した細塵を容易に除去出来るものであり、着脱自在な集塵容器を有する家庭用、業務用の電気掃除機として有用である。
【図面の簡単な説明】
【００３９】
【図１】本発明の実施の形態における電気掃除機の全体斜視図
【図２】同電気掃除機の断面図
【図３】同集塵容器の断面図
【図４】同集塵容器のダストボックス本体とフィルターユニットを示した斜視図
【図５】同集塵容器の部分断面斜視図
【図６】同集塵容器の蓋が開いた状態の断面図
【符号の説明】
【００４０】
４    集塵容器
２８  粗塵室
２９  細塵受け
３０ａ〜３０ｃ  開口部
３１  蓋体
３３  操作部
３８ａ，３８ｂ  一次フィルター
４０  押し出し板
４４  二次フィルター
４８  歯
４９  ラック部材
５０  ギヤー
５２  回転体
５６  ベルト
５７  ブラシ
【図１】
2008206738.tif 000003
【図２】
2008206738.tif 000004
【図３】
2008206738.tif 000005
【図４】
2008206738.tif 000006
【図５】
2008206738.tif 000007
【図６】
2008206738.tif 000008